(57)【要約】本発明は、液体スプレーヘッド、容器、及び爬行する虫を根絶する装置に関している。液体スプレーヘッドは、スプレー可能液体を収容している容器に固定されるべきハウジング(１３)と、前記ハウジングに接続されている液体噴出部材であって、液体を前記液体噴出部材に供給する液体供給部材(５)と接触させられるべきものと、前記液体噴出部材に接続されている振動アクチュエータ(２)であって、液体のスプレーを発生すべく前記液体噴出部材を作動させるものとを具備している。スプレーヘッドは、前記液体噴出部材の外周部からハウジング(１３)の内壁まで延在している可撓性部材であって、前記ハウジング(１３)と前記液体噴出部材との間の可撓性接続体をもたらすものを具備しており、可撓性部材は、前記液体噴出部材と前記液体供給部材(５)との間の安定した作業接触部をもたらすべく、配設されている。
2005516772.tif 000002
【特許請求の範囲】
【請求項１】
液体スプレーヘッドであって、
−スプレー可能液体を収容している容器に固定されるべきハウジングと、
−前記ハウジングに接続されている液体噴出部材であって、液体を前記液体噴出部材に供給する液体供給部材と接触させられるべきものと、
−前記液体噴出部材に接続されている振動アクチュエータであって、液体のスプレーを発生すべく前記液体噴出部材を作動させるものと、
を具備しているものにおいて、
−スプレーヘッドが、前記液体噴出部材の外周部からハウジングの内壁まで延在している可撓性部材であって、前記ハウジングと前記液体噴出部材との間の可撓性接続体を提供するものを具備しており、可撓性部材は、前記液体噴出部材と前記液体供給部材との間の安定した作業接触部をもたらすべく配設されている、
ことを特徴とする液体スプレーヘッド。
【請求項２】
可撓性部材が、環形状で、液体噴出部材の周りに延在していることを特徴とする請求項１に記載の液体スプレーヘッド。
【請求項３】
可撓性部材が、前記液体噴出部材の外周からハウジングの内壁まで延びている半径方向断面であって、前記ハウジングと前記液体噴出部材との間の可撓性接続体を提供するものを設けられていることを特徴とする請求項１又は請求項２に記載の液体スプレーヘッド。
【請求項４】
可撓性接続体が、液体噴出部材を自由に吊着すべく、液体噴出部材の周縁部から前記ハウジングの内壁まで延びる線に沿う横方向運動を許容することを特徴とする請求項３に記載の液体スプレーヘッド。
【請求項５】
可撓性部材が、中央開口とそれの周縁部との間に少なくとも１つの波形を設けられていることを特徴とする請求項１〜請求項４のいずれか一項に記載の液体スプレーヘッド。
【請求項６】
可撓性部材が、円錐形状であり、円錐が、液体噴出部材の噴出側部に垂直な方向に延びていることを特徴とする請求項１〜請求項５のいずれか一項に記載の液体スプレーヘッド。
【請求項７】
可撓性部材が、内方に延びている表面領域であって、前記液体噴出部材を包囲すべく、前記液体噴出部材の両面と接触しているものを具備していることを特徴とする請求項１〜請求項６のいずれか一項に記載の液体スプレーヘッド。
【請求項８】
可撓性部材が、液体噴出部材のリムと嵌合接続されている内周部を設けられていることを特徴とする請求項１〜請求項７のいずれか一項に記載の液体スプレーヘッド。
【請求項９】
可撓性部材が、複数の通し孔を具備している内周部を設けられており、スプレーヘッドが、更に、前記通し穴に入る突出部を具備している包囲部材であって、前記包囲部材と前記可撓性部材とによって前記液体噴出部材を包囲するものを具備していることを特徴とする請求項１〜請求項８のいずれか一項に記載の液体スプレーヘッド。
【請求項１０】
内周部が、振動アクチュエータの接続ワイヤの通路用の欠切部を具備している請求項１〜請求項９のいずれか一項に記載の液体スプレーヘッド。
【請求項１１】
可撓性部材が、液体収容容器の開口のリムに封止状態で接続可能である周縁部を設けられていることを特徴とする請求項１〜請求項１０のいずれか一項に記載の液体スプレーヘッド。
【請求項１２】
可撓性部材が、補強された周縁部を設けられていることを特徴とする請求項１〜請求項１１のいずれか一項に記載の液体スプレーヘッド。
【請求項１３】
液体供給部材を具備しており、液体スプレーヘッドが、更に、環状固定部材であって、前記液体供給部材を液体噴出部材に対して固定するものを具備していることを特徴とする請求項１〜請求項１２のいずれか一項に記載の液体スプレーヘッド。
【請求項１４】
前記液体供給部材が、面取りされた面であって、液体噴出部材と接触させられるべきものを具備していることを特徴とする請求項１３に記載の液体スプレーヘッド。
【請求項１５】
可撓性部材が、シリコーン、弗素化エラストマー、フルオロシリコーン、ニトリル−ブタジエン(ＮＢＲ)、水素化ニトリル−ブタジエン(ＨＮＢＲ)、熱可塑性ポリエステル−エラストマー、ネオプレン(クロロプレン)、エチルプロピレンのターポリマー(ＥＰＤＭ)及びＥＰＤＭ過酸化物から成る群から選択されるエラストマー材料から成形されていることを特徴とする請求項１〜請求項１４のいずれか一項に記載の液体スプレーヘッド。
【請求項１６】
エラストマー材料が、弗素化エラストマーＦＫＭ６０であることを特徴とする請求項１５に記載の液体スプレーヘッド。
【請求項１７】
可撓性部材が、ハウジングへ一体に形成されていることを特徴とする請求項１〜請求項１６のいずれか一項に記載のに記載の液体スプレーヘッド。
【請求項１８】
請求項１〜請求項１７のいずれか一項に記載の液体スプレーヘッドに固定されるべき、液体を収容する容器。
【請求項１９】
液体供給部材と、前記液体供給部材を固定するための環状固定部材とを更に具備している請求項１８に記載の容器。
【請求項２０】
固定部材が、スプレーヘッドの可撓性部材の周縁部との間の封止接触部を提供している外面と、前記液体供給部材と固定した状態で接触している内面とを具備している請求項１９に記載の容器。
【請求項２１】
液体供給部材が、面取りされた面であって、液体噴出部材と接触させられるべきものを具備している請求項１８又は請求項１９に記載の容器。
【請求項２２】
請求項１〜請求項１７のいずれか一項に記載の液体スプレーヘッドを具備している、液体をスプレーする装置。
【請求項２３】
装置が、液体スプレーヘッドを制御する電気制御回路を具備しており、制御回路は、タイマー回路及び/又は強度スイッチを具備していることを特徴とする請求項２２に記載の装置。
【請求項２４】
装置が、送風機と、送風される空気をスプレーヘッド上へ導く導管とを具備していることを特徴とする請求項２２又は請求項２３に記載の装置。
【請求項２５】
装置が、香気を送り届けることを特徴とする請求項２２〜請求項２４のいずれか一項に記載の装置。
【請求項２６】
送風機が、スプレーヘッドの噴出方向に平行な回転軸を有している回転車を具備しており、ここで、導管が、送風される空気を、前記噴出方向を横切る方向にそらすことを特徴とする請求項２４に記載の装置。
【請求項２７】
制御回路が、事前にプログラムされており且つ前記制御回路と結び付けられている記憶装置に格納されている少なくとも２つの異なる動作モードでスプレーヘッドを制御すべく構成されており、ここで、第１動作モードにおいては、爬行する虫の検出のために、第１所定投与量の液体が、第１所定期間の間、スプレーされ、そして、第２動作モードにおいては、爬行する虫の効果的な根絶のために、第２所定投与量の液体が、前記第１所定期間から所定期間だけ分離されている、第２所定期間の間、スプレーされる請求項２４又は請求項２５に記載の装置。
【請求項２８】
前記動作モードが、選択スイッチによって選択可能である請求項２７に記載の装置。
【発明の詳細な説明】
【技術分野】
【０００１】
本発明は、液体スプレーヘッドに関し、この液体スプレーヘッドは、スプレー可能液体を収容している容器に固定されるべきハウジングと、前記ハウジングに接続されている液体噴出部材であって、液体を前記液体噴出部材に供給する液体供給部材と接触させられるべきものと、前記液体噴出部材に接続されている振動アクチュエータであって、液体のスプレーを発生すべく前記液体噴出部材を作動させるものとを具備している。
【０００２】
ＥＰ-Ａ-０６１５４７０号から、使用されるべき液体を噴霧する装置が、即ち、例えば、殺虫液用の又はエアーフレッシュナー液用の噴霧装置において、液体の微小な液滴を生成する装置が、知られている。この装置は、液体噴出膜と、この膜の表面へ液体を直接的に供給する手段とに基づいており、その液体噴出膜は、この膜を振動させる電気機械アクチュエータ、好ましくは電気音響素子に機械的に接続されている。液体は、膜から、それの振動運動のために噴霧される。膜は、孔をあけられ得、この場合、液体は、それを通して噴霧される。液体を膜へ供給する前記手段は、毛管機構部を具備しており、この毛管機構部は、連続気泡フォーム又は繊維で作られている芯体であって、液体中に沈められている第１端部と、膜との接触状態にある第２端部とを備えているものによって構成されている。電気音響アクチュエータは、積層複合材料によって形成されており、この積層複合材料は、機械的に接合されている、圧電部材のような電歪部材又は磁歪部材のどちらかであり得る第１活性層と、活性又は不活性のどちらかであり得る第２層とから成っている。電極によって加えられる拡大された電界が、平面の方向において第１活性層がそれの長さを変えるべく試みることを生じさせ、これは、第２層との機械的な反作用であって、電気音響アクチュエータが曲げられることを誘発するものを引き起こす。駆動回路が、電気音響アクチュエータを、それが共振を行うように活性化させる。例示実施形態によると、電気音響アクチュエータは、環状円板の形状を採用しており、そして、膜が、環状円板の中央開口に配設されている。
【０００３】
米国特許第３７９００７９号から、固定された接続体を液体供給部材と液体噴出部材との間に有している液体スプレーヘッドが、知られている。スプレー可能液体を送出する供給チューブが、膜に直接的に連結されている。そのような固定送出構成体は、供給チューブによって妨害されることにより、圧電素子が自由には吊着されない、という欠点を有している。更に、固定リングによって周縁部がハウジングに固定されているので、液体噴出部材は、曲げモードにおいて振動するだけである。
【０００４】
本発明の目的は、液体スプレーヘッドを供給することであり、この液体スプレーヘッドは、装置の使用条件又は使用傾斜位置に一切かかわりなく、液体噴出部材上への芯体の過剰な又は不穏当な圧力の下での接触が前記液体噴出部材の振動運動に干渉しないように、同時に、液体噴出部材への供給が一様な且つ規則的な態様で行われるように、液体供給部材と液体噴出部材との間の、締着も加重も伴うことのない接触状態をもたらす。
【０００５】
上記目的は、前提部分による液体スプレーヘッドであって、スプレーヘッドが、前記液体噴出部材の外周部からハウジングの内壁まで延在している、前記ハウジングと前記液体噴出部材との間の可撓性接続体を提供する可撓性部材を具備しており、この可撓性部材は、前記液体噴出部材と前記液体供給部材との間の安定した作業接触部をもたらすべく配設されている、ものにより、達成される。
【０００６】
この構成においては、可撓性部材が、振動アクチュエータ及び液体噴出部材のユニットを支持し、もって、液体供給部材の上端部と液体噴出部材の接触側部とが、締着も加重も伴うことなく、接触状態に保たれ、このことは、装置の使用条件又は使用時における傾斜にかかわりなく、液体噴出部材上への毛管吸引部材の過剰な又は不穏当な圧力の下での接触が液体噴出部材の振動運動において干渉するのを防止すると共に、液体噴出部材への液体の供給を一様に且つ連続的にする。更に、可撓性膜の配設は、より長い有効寿命を液体噴出部材に与えると共に、より大きい柔軟性を提供し、この柔軟性は、装置を種々の条件で又は種々の使用傾斜位置に設置することを可能にする。
【０００７】
一の実施形態においては、可撓性部材は、環形状で、液体噴出部材の周りに延在している。振動アクチュエータは、液体噴出部材を包囲する又はそれを少なくとも部分的に覆う、在来の円板又はリングの形状を有し得る。この実施形態は、液体噴出部材の周りでの均一な可撓性がもたらされる、という利点をもたらす。このように、液体噴出部材は、自由に吊着されており、もって、液体噴出部材は、液体供給部材に抗して自由に振動することができる。適切な可撓性が、可撓性膜であって、中央開口とその可撓性膜の周縁部との間に少なくとも１つの波形を示している半径方向断面を設けられているものにより、更にもたらされる。
【０００８】
好適に、可撓性部材は、前記液体噴出部材の外周からハウジングの内壁まで延びている半径方向断面であって、前記ハウジングと前記液体噴出部材との間の可撓性接続体を提供するものを設けられている。そのような可撓性接続体は、液体噴出部材を自由に吊着すべく、液体噴出部材の周縁部から前記ハウジングの内壁まで延びる線に沿う横方向運動を許容する。
【０００９】
好適に、可撓性部材は、円錐形状であり、円錐は、液体噴出部材の噴出側部に垂直な方向に延びている。円錐形状は、液体噴出部材と液体供給部材との間の改良された作業接触部をもたらす。更に、円錐は、液体噴出部材の噴出側部に実質的に垂直な方向にスプレーを方向付ける指向作用をもたらし得る。
【００１０】
更なる実施形態においては、可撓性部材は、内方に延びている表面領域であって、前記液体噴出部材を包囲すべく、前記液体噴出部材の両面と接触しているものを具備している。このように、液体噴出部材を前記可撓性部材に固定するための原価効率の良い方法を提供することにより、スプレーヘッドの構成部品の数が、最少にされ得る。代替実施形態として、可撓性部材は、液体噴出部材のリムと嵌合接続されている内周部を設けられている。更なる代替実施形態として、可撓性部材は、複数の通し孔を具備している内周部を設けられており、スプレーヘッドが、更に、前記通し穴に入る突出部を具備している包囲部材であって、前記包囲部材と前記可撓性部材とによって前記液体噴出部材を包囲するものを具備している。更に、内周部は、振動アクチュエータの接続ワイヤの通路用の欠切部を具備している。
【００１１】
更に別の実施形態においては、可撓性部材は、液体収容容器の開口のリムに封止状態で接続可能である周縁部を設けられている。このように、可撓性部材は、容器の開口を封止し、これにより、漏れ又は零れが、最少にされる。より良い封止作用をもたらすために、可撓性部材は、補強された周縁部を設けられている。
【００１２】
更なる実施形態においては、スプレーヘッドは、液体供給部材を設けられており、液体スプレーヘッドは、更に、環状固定部材であって、前記液体供給部材を液体噴出部材に対して固定するものを具備している。この実施形態は、可撓性部材とこの可撓性部材によって保持されている液体噴出部材とに対する、液体供給部材の安定した且つ一様な位置決めをもたらす。より良い液体供給特性のために、前記液体供給部材は、面取りされた面であって、液体噴出部材と接触させられるべきものを有している。面取りされた面は、液体噴出部材の孔への、より良好な且つより永続性のある液体の流れをもたらす。
【００１３】
有利に、可撓性部材は、シリコーン、弗素化エラストマー、フルオロシリコーン、ニトリル−ブタジエン(ＮＢＲ)、水素化ニトリル−ブタジエン(ＨＮＢＲ)、熱可塑性ポリエステル−エラストマー、ネオプレン(クロロプレン)、エチルプロピレンのターポリマー(ＥＰＤＭ)及びＥＰＤＭ過酸化物から成る群から選択されるエラストマー材料から成形されている。好適に、エラストマー材料は、弗素化エラストマーＦＫＭ６０である。更に好適な実施形態においては、可撓性部材は、ハウジングへ一体に形成されており、これにより、原価効率の良い、前記スプレーヘッドを製造する方法が、提供される。
【００１４】
本発明は、また、上述した特徴のうちのいずれかの特徴による液体スプレーヘッドに固定されるべき、液体を収容する容器にも関している。特に、本発明は、液体供給部材と、前記液体供給部材を固定するための環状固定部材とを具備している容器に関している。好適に、固定部材は、スプレーヘッドの可撓性部材の周縁部との間の封止接触部を提供している外面と、前記液体供給部材と固定した状態で接触している内面とを具備している。液体供給部材は、面取りされた面であって、液体噴出部材と接触させられるべきものを好適に具備している。
【００１５】
別の側面において、本発明は、上述した側面のうちのいずれかの側面による液体スプレーヘッドを具備している、液体をスプレーする装置に関している。そのような装置は、液体スプレーヘッドを制御する電気制御回路を具備しており、この制御回路は、タイマー回路及び/又は強度スイッチを具備している。更に、装置は、送風機と、送風される空気をスプレーヘッド上へ導く導管とを具備し得る。好適な実施形態においては、装置は、香気を送り届けるべく構成されている。このように、装置は、エアーフレッシュナとして使用され得る。特に、香気を大気内へ運ぶのに加熱が含まれていないので、より洗練された香気であって、熱による分解を蒙らないものが、使用され得る。更に、上述した側面の液体スプレーヘッドを使用している送出システムは、或るタイミング(例えば、所定の間隔の間に香気を送出する)及び強度に調節され得る、効果的な投与制御を提供する。
【００１６】
別の実施形態においては、本発明による装置は、爬行する虫を根絶する装置であり、この装置は、先行する請求項のうちのいずれかの請求項による液体スプレーヘッドと、送風機と、電気制御回路と、方向付けられたスプレーをもたらすべく、送風される空気をスプレーヘッド上へ導く導管とを具備している。
【００１７】
前記装置の好適な実施形態は、送風機を設けられており、この送風機は、スプレーヘッドの噴出方向に平行な回転軸を有している回転車を具備しており、ここで、導管が、送風される空気を、前記噴出方向を横切る方向にそらす。この実施形態は、特に平坦なデザインの装置であって、例えば食器棚等の下のような、低い高さを有している空間内への設置を見込んでいるものを考慮している。
【００１８】
制御回路は、事前にプログラムされており且つ前記制御回路と結び付けられている記憶装置に格納されている少なくとも２つの異なる動作モードでスプレーヘッドを制御すべく構成され得、ここで、第１動作モードにおいては、爬行する虫の検出のために、第１所定投与量の液体が、第１所定期間の間、スプレーされ、そして、第２動作モードにおいては、爬行する虫の効果的な根絶のために、第２所定投与量の液体が、前記第１所定期間から所定期間だけ分離されている、第２所定期間の間、スプレーされる。前記動作モードは、選択スイッチによって選択可能であり得る。
【００１９】
更なる利点及び特徴は、図面と関連した記載を読解するならば、明らかになろう。
【００２０】
図１に、本発明による液体スプレーヘッドを具備している装置の斜視図が、示されている。図１における装置は、底板１０１と、液体容器１０３を保持するための構造体１０２とを具備している、卓上品１００として示されている。液体容器１０３は、例えば環境をフレッシュニングするのに使用され得る香気を生成する液体を収容している。液体容器１０３は、再充填可能容器であってよく、又は容器が空になると挿入され得る置換可能ユニットであってもよい。液体スプレーヘッドは、以下の図に更に示されるが、図１において、開口１０４が、示されており、この開口１０４から、液体スプレーが、液体噴出ヘッドによって噴出させられる。装置１００は、更に、オン/オフ・ボタン１０５と、噴出させられるスプレーの強度を制御する摺動接触子１０６とを設けられている。好適な実施形態は、時限回路を設けられており、この時限回路は、香気を過剰にスプレーするのを防止すべく、所定の時間の後に液体スプレーを自動的にオフする。
【００２１】
在来のフレッシュナは、通常、液体を気化させて香気を大気内へ運ぶのに加熱を利用しているところを、本発明による装置は、加熱は含まれないという利点を提供する。このため、より洗練された香気であって、熱による分解を蒙らないものが、使用され得る。更に、本発明による液体スプレーヘッドの気化作用は、即時であり、このため、図１の実施形態による装置がオンされると、効果が、殆ど即時に感知される。
【００２２】
図２において、噴霧超音波スプレーヘッドは、スプレー可能液体を収容している容器に固定されるべきハウジング１３と、前記ハウジング１３に接続されている、円形孔あき液体噴出膜３であって、この膜３に液体を供給する液体供給芯体５と接触させられるものと、前記膜３に接続されている超音波振動環状アクチュエータ２であって、液体のスプレーを発生すべく、前記膜３を作動させるものとを具備している。超音波振動環状アクチュエータ２は、活性層と、反作用層とから成っており、円形孔あき膜３は、前記振動環状アクチュエータ２によって振動させられるべく、それの中央開口に連結されていると共に、毛管液体供給部材即ち毛管液体供給芯体５であって、毛管現象によって前記液体を前記孔あき膜３の表面へ直接的に供給するものに連結されている。通常、芯体５は、連続気泡高分子材料又は繊維材料のものであると共に、容器内に収容されている液体中に沈められる下端部(図示せず)と、膜３と接触するものである上端部５１とを有している。液体は、振動環状アクチュエータ２によって生成される振動の作用により、孔あき膜３を通して噴霧される。図示されていない好適な適用により、好都合に向けられている気流が、噴霧される液体を散布するのを助ける。
【００２３】
図２に示されているように、スプレーヘッドは、前記膜３の外周からハウジング１３の内壁まで延在している可撓性ダイアフラム６であって、前記ハウジング１３と前記膜３との間の可撓性接続体を提供するものを具備している。このようにして、図から明らかなように、そのような可撓性接続体は、膜３の周縁部からハウジングの内壁まで延びる線に沿う或る横方向運動を可能にする。従って、そのような可撓性接続体により、液体噴出部材は、自由に吊着され、もって、液体噴出部材は、液体供給部材に抗して自由に振動することができる。孔あき膜３を支えている振動環状アクチュエータ２は、膜３の周りに延在している環形状弾性ダイアフラム６の中央開口６５上に締着されており、その環形状弾性ダイアフラム６は、ハウジング１３,１４等の上に支持されている。芯体５が結び付けられているところの、液体を収容している前記容器も、前記ハウジング１３,１４に結合される。図示されている例においては、ダイアフラム６の周縁部の厚肉部６２が、前記ハウジングの下側支持部１３の凹部内に着座させられており、そして、例えばハウジングのカバーと一体の上側支持部１４が、前記厚肉部６２を即ちダイアフラム６の隣接領域を下側支持体１３に対して締め付けている。
【００２４】
これにより、ダイアフラム６は、それの弾性により、振動環状アクチュエータ２と孔あき膜３とのユニットを支持し、もって、芯体５と膜３の表面とは、締着も加重も伴うことなく、接触状態に保たれ、もって、装置の使用条件又は使用傾斜位置にかかわりなく、芯体５は、膜３の振動運動において干渉せず、しかも、毛管現象による膜３への液体の供給は、一様であり且つ連続的である。
【００２５】
ダイアフラム６の弾性は、材料と幾何学的形状との組合せによってもたらされる。このため、一方において、ダイアフラム６は、シリコーン、弗素化エラストマー、フルオロシリコーン、ニトリル−ブタジエン(ＮＢＲ)、水素化ニトリル−ブタジエン(ＨＮＢＲ)、熱可塑性ポリエステル−エラストマー、ネオプレン(クロロプレン)、エチルプロピレンのターポリマー(ＥＰＤＭ)及びＥＰＤＭ過酸化物から成る群から選択されるエラストマー材料、好ましくは弗素化エラストマーＦＫＭ６０のものであり、そして、他方において、ダイアフラム６は、環形状(図３及び図４参照)であると共に、前記中央開口とそれの周縁部との間に１つ以上の波形部６１を示している半径方向断面を設けられており、この半径方向断面は、振動運動に非常に敏感な弾性を波形部６１にもたらすと共に、膜の有効寿命を延ばし且つ装置を種々の使用傾斜位置に設置するのを容易にする。図２及び図３に示されている例示実施形態によると、また、図２に示されている前記半径方向断面において見られ得るように、前記波形部６１は、丸みを付された側部を備えているジグザグの輪郭を有していると共に、１サイクルから成っている。図４及び図５に、別の実施形態が、示されており、この実施形態においては、ダイアフラム６の断面の輪郭は、真っ直ぐな側部と丸くされた渦巻部とを有していると共に、完全な２サイクルから成っている。輪郭の他の形状及び/又はサイクルの他の数も、図６〜図１５に例として示されている実施形態から明らかなように、可能である。
【００２６】
両方の場合において、前記ダイアフラム６の波形領域は、一定の厚さを有している一方、それは、周縁部において、前記補強厚肉部６２を示しており、そして、中央開口６５に近接している領域において、振動環状アクチュエータ２の装着を行うための締着構造体６３,６６を示している。任意に、ダイアフラム６は、更に、中央開口６５の縁部に、振動環状アクチュエータの接続ワイヤを通すための欠切部６４(図３及び図５参照)を備えている。
【００２７】
図５は、前記装着部の特徴を示している。前記締着構造体において、平坦部６３が、前記中央開口６５の周りに備えられており、その平坦部６３には、通し孔６６が、設けられており、これらの通し孔６６には、装着リング１２の周縁部に配設されている突出部１２１が、圧入される。前記装着リング１２は、中央開口の周りに位置させられている凹設平坦部１２２を設けられており、振動環状アクチュエータ２の周縁部を支持する金属リング２１が、ダイアフラム６の締着構造体及び装着リング１２の両方の平坦部６３,１２２の間に捕捉された状態になる。
【００２８】
図６は、電気−音響型圧電装置２用のダイアフラム１を示しており、このダイアフラム１は、中央フレーム部３と、弾性シート部４と、周縁フレーム部５とから作られている。ダイアフラム１、中央フレーム部３、弾性シート部４及び周縁フレーム部５は、合成弾性樹脂、好ましくは、デュポンによる「ヴィトン(VITON)」のような、弗素化エラストマーから得られる一体ユニットを形成しているが、このことは、結果が変化するとはいえ、シリコーン、ポリウレタンエラストマー、フルオロシリコーン、ＮＢＲ(ニトリルブタジエンゴム)、熱可塑性ポリエステル−エラストマー、ＨＮＢＲ(水素化ニトリルブタジエンゴム)、ネオプレン(クロロプレン)、ＥＰＤＭ(エチレン−プロピレンターポリマーゴム)及びＥＰＤＭ過酸化物を排除しない。
【００２９】
ダイアフラム１は、それをハウジング６に適用すべく、周縁フレーム部５の表面全体に加えられる圧力Ｐを通して、在来の手段によって取り付けられ、図６には表されていないスプレー装置の部分を形成している、そのハウジング６は、スプレー液を保持している容器７が、螺子係合、バヨネット係合等により、作業可能な態様で位置させられるのを可能にする。
【００３０】
図７において、ダイアフラム１は、２つの顎部８及び９から成っている締付装置によってハウジング６に固定されており、それらの顎部８及び９は、周縁フレーム部５が形成されているところのビード１０を固定している。
【００３１】
図８、図９及び図１０においては、この固定構造体は、溝１１を有しているスカート部１２を設けられている可撓性ダイアフラムによって達成されており、そのスカート部１２は、液体収容容器の開口の突出部１３又は欠切部１４へ、スナップ係合により、封止状態で接続可能である。
【００３２】
圧電装置２は、接着剤により、図６におけるように、溶着によって中央フレーム部３に接合されている中央リング１５により、又は、図７、図８、図１０〜図１２におけるように、リベット締めされるラグ１６等であって、これらの間に圧電装置をしっかりと固定するものにより、又は、ポケットのような、環状ハウジング１７であって、中央フレーム部３に適切に形成されている若しくは組み込まれているものにより、中央フレーム部３へ固定され得る。このように、ダイアフラム１は、複数の通し孔を具備している内周部を設けられており、もって、ラグ１６を具備している包囲環状ハウジング１７が、前記通し孔に入り、これにより、ノズル２Ａを保持している圧電装置は、前記包囲部材１７と前記ダイアフラム１とによって包囲される。
【００３３】
図６〜図１２に示されているように、圧電装置２用の装着部１により、ノズル２Ａが液体供給芯体１８の頭部に常に当てられ、スプレー液の薄層が常に圧電装置２のノズル２Ａとの接触状態に維持される、ということが、可能になり、このことは、呼び水を全く必要としない。同時に、装着部１の可撓性及び弾性によってもたらされる、穏やかな、制御された圧力であって、この圧力で前記ノズル２Ａが芯体１８の頭部に当てられる、ものが、スプレー機能の正しい動作を決定する。
【００３４】
図１３に、液体容器７を有しているスプレーヘッドが、示されている。この構成においては、容器７は、液体供給芯体１８と、前記芯体をノズル２Ａに対して固定するための環状固定部材７Ａとを具備している。このため、固定部材７Ａは、芯体１８を作業可能な位置に位置決めすることを可能にする支持体を形成している。理解されるであろうように、本発明は、容器それ自体の特徴にも関係付けられている。
【００３５】
図１４は、一の実施形態の平面図及び側面図を示しており、この実施形態においては、ダイアフラム１３１が、前記液体噴出部材１３６を包囲すべく内方に延出している表面領域１３２,１３３であって、前記液体噴出部材１３６の両面１３４,１３５と接触するものを具備している。
【００３６】
図１５は、可撓性部材１４１及び液体供給部材１４２の好適な実施形態の側面図を示している。可撓性部材は、円錐形状であり、その円錐は、液体噴出膜１４４の噴出側部１４３に垂直な方向に延びている。円錐形状は、膜１４４と芯体１４２との間の改良された作業接触部をもたらす。更に、円錐は、膜１４４の噴出側部１４３に実質的に垂直な方向にスプレーを方向付ける指向作用をもたらし得る。図１５に示されている液体供給部材即ち液体供給芯体１４２は、面取りされた接触面１４５であって、液体噴出部材１４４と接触するものを具備している。面取りされた面１４５は、液体噴出部材１４４への、より良好な且つより永続性のある液体の流れをもたらす。
【００３７】
本発明による、爬行する虫を根絶する装置の好適な実施形態が示されているところの図１６〜図１８を参照するに、その装置は、液体スプレーヘッド２と、送風機１６と、電気制御回路２０と、方向付けられたスプレーをもたらすべく、送風される空気をスプレーヘッド２上へ導く導管１５３とを具備している。装置のハウジングは、底部１及びカバー１５によって具体化されており、これらの底部１及びカバー１５は、装置を形成している残りの部品に対する支持体及び保護体として機能する一体エンクロージャを一緒に形成している。
【００３８】
ハウジング１,１５内に収容されている前記部品は、基本的に、圧電噴霧器２と、液体活性物質Ｌ用の容器４と、その液体活性物質Ｌを前記容器４から圧電噴霧器２へ供給する、芯体５のような、毛管吸引部材と、送風機１６と、圧電噴霧器２及び送風機１６の動作を制御する電子手段３０と、電力を必要としている種々の部品に供給する電源１８とを含んでいる。図１７及び図１８に示されている実施形態においては、送風機１６は、スプレーヘッド２の噴出方向に平行な回転軸を有している回転車を具備しており、そして、導管１５３が、送風された空気を、前記噴出方向を横切る方向にそらす。この実施形態は、特に平坦なデザインの装置であって、例えば食器棚等の下のような、低い高さを有している空間内への設置を見込んでいるものを考慮している。
【００３９】
前記制御電子手段３０は、有利に、印刷回路板２０に組み込まれており、この印刷回路板２０は、選択スイッチ３２及び通電ライト３８を更に組み入れている。ハウジング１,１５の外側からアクセス可能である、その選択スイッチ３２は、装置をユーザーが始動し且つ停止するのを可能にすると共に、少なくとも２つの異なる動作モードであって、事前にプログラムされており且つ制御電子手段３０と結び付けられている記憶装置に格納されているものから、特定の動作モードをユーザーが選択するのを可能にする。これらの動作モードは、爬行する虫の効果的な根絶に要求されている異なる任務を遂行すべく構成されており、そして、図２０及び図２１と関連して後述されよう。
【００４０】
圧電噴霧器２は、超音波振動環状アクチュエータを具備しており、この超音波振動環状アクチュエータは、活性層と、反作用層と、多数の孔をあけられている円形の膜３とから成っており、この膜３は、その振動環状アクチュエータの中央開口に、それによって振動させられるべく接続されている。圧電噴霧器２は、ダイアフラム６によって提供される、新しい弾性手段即ち可撓性手段によって支持されており、その新しい弾性手段即ち可撓性手段は、芯体５と膜３の表面との、締着も加重も伴うことのない接触を確実にする。これは、装置の作業条件又は作業傾斜位置にかかわりなく、膜３の振動運動に芯体５が干渉しないということと、毛管現象による膜３への液体の供給が一様であり且つ連続的であるということとをもたらす。ダイアフラム６の弾性は、それが作られているところの弾性材料と、それの円形中高幾何学形状との組合せによってもたらされ、その円形中高幾何学形状は、中央開口６５とそれの外周部６２との間に１つ以上の周方向同心波形部６１を備えている。
【００４１】
液体Ｌを収容している前記容器４は、芯体５を組み入れており、そして、この組立体は、芯体５の上端部５１が膜３と接触し且つそれの下端部５２が液体Ｌ中に沈められるような位置において、その目的のためにハウジング１,１５の下部に設けられている凹部１９内に収容されている。前記凹部１９は、図１６に示されているように、外側からアクセス可能であり、もって、容器４及び芯体５から成る組立体は、容易に置き換えられ得る。ハウジングの底部１への容器４の締着は、それぞれの螺子４１,１９１によって行われる。
【００４２】
カバー１５は、圧電噴霧器２の多数の孔をあけられている膜３の上に位置させられている第１開口１５１であって、噴霧Ｌ活性物質のジェットがこの第１開口１５１を通って出て行くのを可能にするものと、前記送風機１６が収容されているところのハウジングの内部空間１５３と連通している第２開口であって、散布装置に隣接する限られた範囲の領域に噴霧Ｌ物質を散布すべく、気流(矢印によって示されている)が、出て行って、第１開口の真上で前記噴霧Ｌ物質のジェットと横方向にぶつかるのを可能にするものとを示している。
【００４３】
更に、カバー１５は、一方の側部に凹部１５４を具備しており、この凹部１５４内には、第１窓１５５であって、この第１窓１５５を通して選択スイッチ３２へのアクセスがもたらされるものと、第２窓１５６であって、この第２窓１５６を通して前記通電ライト３８が視認可能になるものとが、配設されており、前記選択スイッチ３２及び通電ライト３８は、上述のように、適切な位置においてハウジング１,１５内に収容され且つ締着されている印刷回路板上に、電子手段３０と共に組み込まれている。
【００４４】
好適に、前記電源１８は、ハウジング１,１５内に収容されている１個又は数個の連結された電池１８１から成っており、このことは、非常に有利な自主性を与える。しかしながら、電源は、例えば、接続ケーブル(図示せず)を通して外部から来る電流を適合させる変圧器から成っていてもよい。
【００４５】
図１９に、本発明の装置の電気回路が、示されており、その電気回路は、前記印刷回路板２０に組み込まれている制御電子手段３０を備えている。
【００４６】
印刷回路板２０上に組み込まれている部品は、プログラマブル集積回路(ＰＩＣ)３１を含んでおり、このプログラマブル集積回路(ＰＩＣ)３１は、前記異なるプログラムに応じて活性物質を正しく供給すべくプログラムされ且つ設計されている異なる運転サイクルのうちの１つの運転サイクルに応じて、必要とされているサブシステムを活性化し且つ不活性化するのを可能にする。前記選択スイッチ３２及び通電ライト３８(発光ダイオード(ＬＥＤ)の形態にある)は、プログラム集積回路３１に接続されている。増幅器又は変圧器であり得る電圧ブースター調整器(ＶＢＲ)３４が、前記電池１８１に接続されており、その電圧ブースター調整器(ＶＢＲ)３４の機能は、連結されている電池１８の電圧を、後述する発振回路に供給するに必要な電圧まで昇圧することである。前記電圧ブースター調整器３４は、ＰＩＣ３１によって制御される。線形調整器３５であって、上昇させられた電圧にあるラインによって供給され且つ前記ＶＢＲ３４によって調整されるものは、その電圧を、次の発振回路(ＲＣＬ)３７に必要とされている電圧へ変圧する機能を有している。線形調整器３５も、ＰＩＣ３１によって制御される。前記発振回路３７は、発振制御装置３６によって制御され、この発振制御装置３６の機能は、発振回路を幹線(mains)へ又はアースに向けて切り替えることである。それは、ＰＩＣ３１によって制御され、そして、それは、線形調整器３５によって発生される電圧を供給される。更に、この装置は、ポテンショメータを所有しており、このポテンショメータは、予め確立されている範囲内に最終共振周波数をセットすることを可能にする。最後に、発振回路３７は、抵抗と、コイルと、コンデンサとで構成されており、所定の共振周波数での振動を発生する。それのオン/オフ状態は、前記圧電噴霧器２の励起パルスを発生する前記発振制御装置３６によって制御される。送風機１６を駆動するモーター１７は、電池１８によってもたらされる電圧を供給され、やはり、それの動作も、ＰＩＣ３１によって制御される。
【００４７】
本発明による、爬行する虫の数を制御する手順が、図２０及び図２１を参照して以下に記載される。
【００４８】
手順は、上述した本発明の装置のような、電気的に制御される散布装置により、前記虫に対して特定の、少なくとも１つの活性物質を散布することを本質的に具備しており、これにより、ゴキブリのような前記爬行する虫の集団が存在していることが推定される又は確実であるところの限られた範囲を有している領域に、前記物質が、投与される。制御回路３０は、事前にプログラムされており且つ前記制御回路と結び付けられている記憶装置に格納されている少なくとも２つの異なる動作モードでスプレーヘッド２を制御すべく構成されており、ここで、第１動作モードにおいては、爬行する虫の検出のために、第１所定投与量の液体が、第１所定期間の間、散布され、そして、第２動作モードにおいては、爬行する虫の効果的な根絶のために、第２所定投与量の液体が、前記第１所定期間から所定期間だけ分離されている、第２所定期間の間、散布される。
【００４９】
前記動作モードは、前記爬行する虫の集団が存在するということが推定される領域に適用されるべき検出モードであって、前記領域内での前記集団の存在又は不存在を確認するためのものと、前記爬行する虫の集団が存在するということが確実な領域に適用されるべき根絶モードであって、その領域内の前記集団を根絶し又は駆除するためのものとを含んでいる。
【００５０】
装置のこれらの２つの動作モードは、虫害の検出及びその後の処理を含む、本発明の全手順を適用することを可能にする。手順は、選択された前記検出モードで散布装置を起動させることと、その後、この様にして準備された散布装置を、前記爬行する虫の集団が存在していると推定される第１領域に設置することとを具備している。検出モードに従わさせられている前記第１領域において、所定数の爬行する虫が現れたならば、前記選択された処理モードで散布装置を始動させ、その後、爬行する虫の集団の存在が検出されたところの第１領域に、その様にして準備された散布装置を再び設置する。それとは逆に、第１領域において虫が現れない場合には、前記選択された検出モードで散布装置を再び始動させ、その後、やはり爬行する虫の集団が存在していると推定される第２領域に、その様にして準備された散布装置を設置し、そして、疑わしい領域における検査及び処理が終了するまで、続けられる。
【００５１】
図２０は、検出モードにおける散布装置の動作に対応している、時間に対する流量の図であり、その検出モードは、開始させられると、後述のステップＡ１)〜Ａ３)に従う。第１ステップＡ１)は、前記活性物質の時期尚早の散布によって悪影響を及ぼされることなくユーザーが装置を選択された領域に設置するのを可能にするに十分であると考えられる所定期間１１の間、空転状態のままであることから成っている。次のステップＡ２)は、爬行する虫をそれらの隠れ場所から出て行かせるに十分であると考えられる投与を完了するまで、所定の流量ｃ１、頻度及び時間ｔ３から成るパルス・シーケンスｎ１により、期間１２の間、活性物質を散布することから成っている。最後に、ステップＡ３)は、散布装置の動作を停止させることから成っており、これにより、検査ステップは、終了し、そして、ユーザーは、検査された領域から装置を引き出して、新しい領域の検査へと更に進み又はその被検査領域の処理へと更に進むことができる。
【００５２】
図２１に、処理モードにおける散布装置の動作に対応している、時間に対する流量の図が、示されており、その処理モードは、開始させられると、後述のステップＢ１)〜Ｂ５)に従う。第１ステップＢ１)は、前記活性物質の時期尚早の散布によって悪影響を及ぼされることなくユーザーが装置を選択された領域に設置するのを可能にするに十分であると考えられる所定期間１４の間、空転状態のままであることから成っている。次のステップＢ２)は、爬行する虫に致命的なショックをもたらすに十分であると考えられる投与を完了するまで、所定の流量ｃ２、頻度及び時間ｔ６から成るパルス・シーケンスｎ２により、時間ｔ５の間、活性物質を散布することから成っている。次いで、ステップＢ３)は、卵又は休眠幼虫が成虫へと変態するに十分であると考えられる第２期間ｔ７の間、再び空転状態のままであることから成っている。次のステップＢ４)は、先の噴霧期間の生き残りの虫又はその後に変態した虫に致命的作用をもたらすに十分であると考えられる次の投与を完了するまで、所定の流量ｃ３、頻度及び時間ｔ９から成るパルス・シーケンスにより、所定期間ｔ８の間、活性物質を続いて散布することから成っている。最後に、最終ステップＢ５)は、散布装置の動作を停止させることから成っており、この後、処理は、終了し、そして、ユーザーは、処理された領域から装置を引き出すことができる。
【００５３】
有利に、処理モードは、最終ステップＢ５)へ進む前に、前記致命的作用を維持するに十分であると考えられる所定回数だけ、ステップＢ３)及びステップＢ４)を繰り返すことを含む。
【００５４】
活性物質は、単一の成分のものであってもよいが、それは、爬行する虫に異なる作用をもたらす異なる成分の混合物から有利に形成される。好適に、本発明の手順及び装置と共に使用される活性物質は、少なくとも３つの成分であって、これらの成分のうちの少なくとも１つの成分はピレトロイド類から成る群から選択される、ものの混合物である。３つの成分の各々は、以下の作用、即ち、活動過剰、除去、及び生殖サイクルの崩壊、のうちの１つの作用を爬行する虫にもたらすことに従事させられる。３つの成分は、プログラムされている異なる投与条件のうちの１つの投与条件で混合物が散布されるときに各成分が有効であるようにするために、適切な割合で前記混合物内にある。即ち、第１成分は、検出モードに従って混合物が投与されるときに、虫に悪影響を与えることに活性であり、第２成分は、処理モードのステップＢ２)に従って混合物が投与されるときに、虫を根絶することに有効であり、そして、第３成分は、処理モードのステップＢ２)及びステップＢ４)に従って混合物が投与されるときに、虫の生殖サイクルを崩壊させることに有効である。
【００５５】
例として、そして、パラメータであって、これらのパラメータの下で装置が種々の動作モードに従って作動するものの大きさを提案するためだけに、それらのパラメータについての参考値が、与えられる。
【００５６】
検査モード(図２０)において、初期待ち時間ｔ１は、ほぼ２分であり得、パルス・シーケンスｎ１は、１０秒の頻度で５秒の時間ｔ３を伴い且つ１秒当たりほぼ３ｍｇの活性物質の流れｃ１を放出する、ほぼ１７個のパルスを含み得、このことは、１６５秒の時間ｔ２に亘ってほぼ２５５ｍｇの投与量を適用することを意味する。
【００５７】
処理モード(図２１)のステップＢ１)及びステップＢ２)において、初期待ち時間ｔ３は、ほぼ４時間であり得、パルス・シーケンスｎ２は、１０秒の頻度でほぼ５秒の時間ｔ６を伴い且つ１秒当たりほぼ３ｍｇの活性物質の流れを放出する、ほぼ２２８個のパルスを含み得、このことは、３７分５５秒の時間ｔ５に亘ってほぼ３４２０ｍｇの投与量を適用することを意味する。
【００５８】
最後に、処理モード(図２１)のステップＢ３)及びステップＢ４)において、オフ時間ｔ７は、ほぼ７日であり得、パルス・シーケンスｎ３は、１０秒の頻度でほぼ５秒の時間ｔ９を伴い且つ１秒当たりほぼ３ｍｇの活性物質の流れを放出する、ほぼ１１４個のパルスを含み得、このことは、３７分５５秒の時間ｔ８に亘ってほぼ３４２０ｍｇの投与量を適用することを意味する。
【００５９】
しかしながら、他の投与パラメータも、手順及び装置における他の変更態様と共に、可能である、ということが、言明されなければならない。圧電アクチュエータと関連して本発明が説明されてきたが、電歪アクチュエータ又は磁歪アクチュエータのような、他のタイプのアクチュエータも、使用され得る。更に、種々の変更、例えば、液体供給部材を固定するための、容器内に設置される別体の固定リング、容器の開口と可撓性ダイアフラムとの間に設置されるリング、ダイアフラムと液体噴出部材とを接続する接続エレメントも、可能である。これらの及び他の変更は、請求項に規定されている、本発明の範囲内に入るものと見なされる。
【図面の簡単な説明】
【００６０】
【図１】本発明による液体スプレーヘッドを具備している装置の好適な実施形態の斜視図を示している。
【図２】第1例示実施形態による、ダイアフラムを使用している本発明の液体スプレーヘッドの装着部の直径に沿う断面図である。
【図３】図２のダイアフラムの平面図である。
【図４】第２例示実施形態による、ダイアフラムを使用している本発明の液体スプレーヘッドの装着部の直径に沿う断面図である。
【図５】図４の装着部の部分の分解斜視図である。
【図６】中央フレーム部、環状膜及び周縁フレーム部から作られている、圧電装置装着部の直径に沿う断面の図を含んでいる。
【図７】膜がジグザグ・タイプの峰部及び谷部から作られているところの圧電装置装着部の直径に沿う断面の半分を表している図である。
【図８】図７と同様の図を表しており、この場合、膜が、より幅の広い、より低い頻度で生じている峰部及び谷部を有している。
【図９】図７及び図８と同様の図を表しており、この図９においては、膜が、より幅の狭い、より高い頻度で生じている峰部及び谷部を有している。
【図１０】図７〜図９と同様の図を表しており、この図１０においては、膜が、波形タイプの峰部及び谷部を有している。
【図１１】図７〜図１０と同様の図を表しており、この図１１においては、環状膜が、それの上面により、一の場合には、曲線アーチ形垂直断面を備えている単一の峰部を形成している連続的な線により、別の場合には、曲線アーチ形垂直断面を有している単一の谷部を形成している破線により、表されている。
【図１２】上で考慮された図７〜図１１と同様の図を表しており、この図１２においては、環状膜が、それの上面において、外側の峰部と内側の谷部とであって、共に同心状に形状を与えられており且つ波形であるものを有している。
【図１３】液体容器を設けられている装置の組立体を図式的に表しており、その装置は、本発明のスプレーヘッドを組み入れていると共に、スプレー液を保持する容器を作業可能な位置に位置決めすることを可能にする支持体を形成している。
【図１４】液体噴出部材と可撓性部材との間の好適な接続体の平面図及び側面図を示している。
【図１５】可撓性部材と液体供給部材との好適な実施形態の側面図を示している。
【図１６】本発明の、爬行する虫の集団を駆除する装置の斜視図である。
【図１７】図１８の装置の平面図であって、この場合、それの内部を示すべく、カバーが、取り去られている。
【図１８】図１７のIII−III平面に沿う、矢印の方向における、カバーが備えられている、断面図である。
【図１９】装置の動作の制御電子回路の図である。
【図２０】装置の２つの異なる動作モードのうちの一方の動作モードにおける本発明の方法を、時間に依存する活性物質の散布流量に対応している概略図によって示している。
【図２１】装置の２つの異なる動作モードのうちの他方の動作モードにおける本発明の方法を、時間に依存する活性物質の散布流量に対応している概略図によって示している。
【図１】
2005516772.tif 000003
【図２】
2005516772.tif 000004
【図３】
2005516772.tif 000005
【図４】
2005516772.tif 000006
【図５】
2005516772.tif 000007
【図６】
2005516772.tif 000008
【図７】
2005516772.tif 000009
【図８】
2005516772.tif 000010
【図９】
2005516772.tif 000011
【図１０】
2005516772.tif 000012
【図１１】
2005516772.tif 000013
【図１２】
2005516772.tif 000014
【図１３】
2005516772.tif 000015
【図１４】
2005516772.tif 000016
【図１５】
2005516772.tif 000017
【図１６】
2005516772.tif 000018
【図１７】
2005516772.tif 000019
【図１８】
2005516772.tif 000020
【図１９】
2005516772.tif 000021
【図２０】
2005516772.tif 000022
【図２１】
2005516772.tif 000023
【国際調査報告】
2005516772.tif 000024
2005516772.tif 000025